(57)【要約】      （修正有）【課題】段ボール箱などのマスターカートンへの収容に無用な空間を少なくし、容器の閉蓋状態を確実に維持させて内包果実を確実に保護でき、安全に輸送できる大形果実用の容器を提供する。【解決手段】容器本体１と蓋体２との開口端部分に外向きに形成されたフランジ部のヒンジ部側の両隅部分１ｂ，２ｂの一方に位置決め嵌合凸部１６が形成され、他方に位置決め嵌合凹部２６が形成され、遊端側の両隅部分１ａ，２ａの一方に蓋嵌合用小孔１７が形成され、他方に該小孔１７と密着嵌合する蓋嵌合用小突起２７が形成されていて、閉蓋時に、これら位置決め嵌合凸部１６と凹部２６とが互いに接当し、蓋嵌合用小孔１７と小突起２７とが互いに嵌め込み嵌合して閉蓋姿勢を維持するように構成する。【選択図】図５
0003151025.tif 000002
【実用新案登録請求の範囲】
【請求項１】
透明な合成樹脂シート素材を用いて容器本体(1)とその上部を覆う蓋体(2)とを一側でヒンジ部(3)を介して折り畳み自在に一体的に形成されている容器であって、
容器本体(1)が、平面視横長の長方形状であり、深さが浅めの深さ方向窄まりの形状とされ、
蓋体(2)が、該容器本体(1)と相似形の平面視横長の長方形状であり、深さが容器本体(1)の深さよりも深く、深さ方向下窄まり形状とされ、凹入底(23)と周壁部(24)とが交わる角部(25)が大きな円弧状に形成され、これら両体(1，2)の開口端(11，21)部分に外向きのフランジ部(12，22)が形成され、
これら両体(1，2)のヒンジ部(3)側の両隅部分(1b，2b)の何れか一方に位置決め嵌合凸部(16)が形成され、何れか他方に該位置決め嵌合凸部(16)と外周面が密接状態で接当嵌合する位置決め嵌合凹部(26)が形成され、かつ、これら両体(1，2)の遊端側の両隅部分(1a，2a)の何れか一方に蓋嵌合用小孔(17)が形成され、何れか他方に該蓋嵌合用小孔(17)と密着して嵌め込み嵌合する蓋嵌合用小突起(27)が形成され、
閉蓋時に、これら位置決め嵌合凸部(16)と凹部(26)とが互いに接当し、蓋嵌合用小孔(17)と小突起(27)とが互いに嵌め込み嵌合して閉蓋姿勢を維持する構成としてある果実包装用容器。
【請求項２】
容器本体(1)と蓋体(2)との開口端(11，21)の幅方向部分に外向きに突出形成してあるフランジ部(12，22)の何れか片方または両方が、開口状態での水平姿勢において下方に向かって凹入する凹入部(18，28)を備え、閉蓋姿勢において相対向するフランジ部(12，22)間に容器の内外に通じる空気流通孔(c)が形成される構造としてある請求項１に記載の果実包装用容器。
【請求項３】
蓋体(2)が、四周の周壁部(24)に、開口端(21)部分から凹入底(23)に至る複数本一組とした複数組の補強リブ(29)を備えた構造としてある請求項１または２に記載の果実包装用容器。
【請求項４】
蓋体(2)が、周壁部(24)の四隅部分に、開口端(21)部分から凹入底(23)に至る複数本一組とした補強リブ(29)を備えた構造としてある請求項１乃至３の何れかに記載の果実包装用容器。
【考案の詳細な説明】
【技術分野】
【０００１】
本考案は、容器本体と蓋体とをその一側部でヒンジ部を介して折り曲げ折重ね自在に一体的に連結形成してある樹脂シート製の果実包装用の容器に関するものである。殊に、大形マンゴーのような大形で高価な果実を１個単体で包装するのに適した容器に関するものである。
【背景技術】
【０００２】
従来からパパイヤやマンゴーのような大形の果実を１個だけ個別包装したり、２，３個包装するようにした果実包装用容器は、下記特許文献１に示され既に公知になっている。また、桃、ナシ、メロン、リンゴ等の果実類を複数個個別包装するようにした包装用容器も、下記特許文献２に記載されていて公知になっている。
【先行技術文献】
【特許文献】
【０００３】
【特許文献１】特開平８−１１９３５６号公報
【特許文献２】特開平１１−４３１８６号公報
【考案の概要】
【考案が解決しようとする課題】
【０００４】
これらの内、前者の特許文献１に記載の容器は、パパイヤやマンゴー等の果物が載置収容される凹所を形成した上部開放型の底部側容器片１と、収容果物を覆うように凹所を形成してある蓋部側容器片２とを、互いの開口部で嵌合するように形成してある容器が示されている。しかしながら、この文献に記載の容器は、当該特許文献１の図面にみられるように、蓋が傾斜していて、段ボール箱のようなマスターカートンに収容するのに収容効率が悪いという課題を有している。
【０００５】
また、後者の特許文献２に記載の桃、ナシ、メロン、リンゴ等の果実類を複数個包装する容器は、収容する果実の姿勢を安定させるために、容器本体の底部形状を、果実の下部形状に合わせた複数の収納凹部を形成してある形状としてある。この容器は、果実収納凹部を複数個形成してあるため載置姿勢が安定するが、１個だけ個別に包装する形態とした場合には安定性を損ねる形態となっている。
【０００６】
そこで、本考案は、このような従来の果実容器が有していた課題を解決するために、容器に工夫を加え、使用し易く、段ボール箱のようなマスターカートンに収容しても無用な収容空間が形成されることなく、内包果実を確実に保護でき、閉蓋状態を確実に維持させることができ、安全に輸送できる構造とした大形果実用の容器をここに提案しようとするものである。
【課題を解決するための手段】
【０００７】
本考案は、高価な大形果実の包装用容器として、容器本体１が、平面視横長の長方形状で深さが浅めの深さ方向窄まりの形状とされ、蓋体２が、該容器本体１と相似形の平面視横長の長方形状で、深さが容器本体１の深さよりも深く、深さ方向下窄まり形状とされていて、凹入底２３と周壁部２４とが交わる角部２５が大きな円弧状に形成され、これら両体１，２の開口端１１，２１部分に外向きのフランジ部１２，２２が形成され、これら両体１，２のヒンジ部３側の両隅部分１ｂ，２ｂの何れか一方に位置決め嵌合凸部１６が形成され、何れか他方に該位置決め嵌合凸部１６と外周面が密接状態で接当嵌合する位置決め嵌合凹部２６が形成され、かつ、これら両体１，２の遊端側の両隅部分１ａ，２ａの何れか一方に蓋嵌合用小孔１７が形成され、何れか他方に該蓋嵌合用小孔１７と密着して嵌め込み嵌合する蓋嵌合用小突起２７が形成され、閉蓋時に、これら位置決め嵌合凸部１６と凹部２６とが互いに接当し、蓋嵌合用小孔１７と小突起２７とが互いに嵌め込み嵌合して閉蓋姿勢を維持する構成とすることによって、前記先行技術の課題を解決するようにしたものである。
【考案の効果】
【０００８】
本考案にいう果実包装用容器は、このような構造としたものであるから、高級な大形の果実を損傷させることなく個別に保護して、閉蓋姿勢を損傷させることなく確実に維持して、市場に提供できるという効果が期待できる。
【図面の簡単な説明】
【０００９】
【図１】第１実施例の容器の開蓋状態を示した平面図。
【図２】図１の右側から見た側面図。
【図３】容器本体の正面図。
【図４】蓋体の背面図。
【図５】開蓋状態の斜視図。
【図６】使用状態を示す閉蓋状態の斜視図。
【図７】同右側側面図。
【図８】第２実施例の容器の開蓋状態を示した平面図。
【図９】図８の右側から見た側面図。
【図１０】蓋体の背面図。
【図１１】開蓋状態を示した斜視図。
【図１２】第３実施例の容器の開蓋状態を示した平面図。
【図１３】図１２の右側から見た側面図。
【図１４】蓋体の背面図。
【図１５】開蓋状態を示した斜視図。
【図１６】第４実施例の容器の開蓋状態を示した平面図。
【図１７】図１６の右側から見た側面図。
【図１８】蓋体の背面図。
【図１９】開蓋状態を示した斜視図。
【考案を実施するための形態】
【００１０】
上記のような構成とした本考案の果実包装用容器を実施するに当たっては、前記請求項２に記載したように、容器本体１と蓋体２との開口端１１，２１部分に外向きに形成してあるフランジ部１２，２２の何れか片方または両方が、開口状態での水平姿勢において下方に向かって凹入する凹入部１８，２８を備えていて、閉蓋姿勢において相対向するフランジ部１２，２２間に容器の内外に通じる空気流通孔ｃが形成されている構造の容器として実施することができる。
【００１１】
また、前記請求項３に記載したように、蓋体２が、四周の周壁部２４に、開口端２１部分から凹入底２３に至る複数本一組とした補強リブ２９を備えている構造の容器として実施することができる。更には、前記請求項４に記載したように、蓋体２が、周壁部２４の四隅部分に、開口端２１部分から凹入底２３に至る複数本一組とした補強リブ２９を備えている構造の容器として実施することができる。
【実施例】
【００１２】
以下本考案の図１乃至図７に示した第１実施例について図面に基づいて説明する。該実施例に示した果実包装用容器は、透明な合成樹脂シート素材を用いて図１の下部に示した容器本体１と、閉蓋時にその上部を覆う図１の上部に示した蓋体２とを、図１の上下方向の中間部に示したヒンジ部３を介して折り畳み自在に一体的に形成してある。
【００１３】
而して、容器本体１は、平面視横長の長方形状で、蓋体２に比べて深さが浅めで周壁部１４を深さ方向窄まりの形状としてあり、図１のように、底部分１３の周囲にだけ、その四隅部分と直線辺部分とに３本一組とした補強リブ１９を形成してある。
【００１４】
蓋体２は、該容器本体１と相似形の平面視横長の長方形状で、容器本体１の深さよりも深さが１．５倍程度深く、周壁部２４を深さ方向下窄まり形状としてある。また、凹入底２３と周壁部２４とが交わる角部２５を図２及び図３のように、大きな円弧状を呈するように形成してあり、該蓋体２にも、四周の周壁部２４に、開口端２１部分から凹入底２３に至るまで連続する３本一組とした補強リブ２９と、四隅部分にも、開口端２１部分から凹入底２３に至る２本一組とした補強リブ２９を形成してある。
【００１５】
また、これらの容器本体１と蓋体２との開口端１１，２１部分には、外向きに突出したフランジ部１２，２２を形成してあり、これらのフランジ部１２，２２を、図２乃至図５にみられるように、開口状態での水平姿勢において、下方に凹入する凹入部１８，２８を備えた形状としてあり、図６，図７に示したように、閉蓋姿勢において、これらの凹入部１８，２８が相対するフランジ部１２，２２間に容器の内外に通じる空気流通孔ｃを形成するようにしてある。また、該実施例に示した容器は、図１，図５に示したように、蓋体２における凹入底２３を形成する天板にも空気流通用の複数個の小孔ｈを形成してある。
【００１６】
更に、これら両体１，２には、ヒンジ部３側の両隅部分１ｂ，１ｂ，２ｂ，２ｂの内、容器本体１側の両隅部分１ｂ，１ｂに位置決め嵌合凸部１６，１６がフランジ面から突出形成され、蓋体２側の両隅部分２ｂ，２ｂには、該位置決め嵌合凸部１６，１６と内周面が密接状態で接当嵌合する位置決め嵌合凹部２６がフランジ面から凹入した状態で形成され、他方、これら両体１，２の遊端側の両隅部分１ａ，１ａ，２ａ，２ａの内、容器本体１側の両隅部分１ａ，１ａには蓋嵌合用の凹入小孔１７，１７が形成され、蓋体２側の両隅部分２ａ，２ａには該蓋嵌合用小孔１７，１７と密着して嵌め込み嵌合する蓋嵌合用小突起２７，２７が形成されている。
【００１７】
このようにして、蓋体２をヒンジ部３から折り曲げて容器本体１上に被せ、これらの位置決め嵌合凸部１６と位置決め嵌合凹部２６とを互いに接当させて、蓋嵌合用小孔１７と蓋嵌合用小突起２７とを合わせて互いに嵌め込み嵌合させて閉蓋姿勢を維持させる。
【００１８】
このようにした本考案にいう容器は、その大きさを特定したもののみに限定するものではないが、該実施例の図６及び図７に例示したマンゴーＭを１個だけ包装する容器の場合の各部の概寸を例示すると次の通りである。図１の平面図における容器本体１の横幅＝１９０ｍｍ、同上下方向の長さ１３０ｍｍ、図２の側面図における容器本体１の高さ４０ｍｍ、蓋体の高さ６０ｍｍである。この数値はあくまで外寸であり、果実の大きさに合わせた別寸法の容器の製造を否定するものではない。
【００１９】
次に、図８乃至図１１に示した本考案の第２実施例について説明する。該第２実施例に示した容器は、容器本体１の形状は、前記第１実施例に示した容器本体１と同様のものとし、蓋体２の形状を前記第１実施例に示した容器の蓋体２に比して、主として図８に明らかなように、同図における横方向と上下方向との周壁部２４に形成した補強リブ２９の数を大幅に多くして、強度を高めてある構造としたものである。より詳しくは、３本一組のリブと、２本一組のリブとを交互に配した構造として、外圧に対する強度をより一層増加させたものである。その他の点については前記第１実施例の構造とほぼ同じ構造としたものである。
【００２０】
続いて、図１２乃至図１５に示した第３実施例について説明する。該第３実施例に示した容器は、容器本体１の形状にあっては、前記第１実施例に示した容器本体１と同様のものとし、蓋体２の形状を前記第１実施例に示した容器の蓋体２に比して、図１２から明らかなように、同図における横方向と上下方向との周壁部２４に形成した補強リブ２９を全部除去し、四隅部分に形成してある２本一組とした補強リブ２９のみを残した構造としたものである。このようにして、内部に収容した果実の状態を外部から透視確認し易いものとしたものである。その他の点については前記第１実施例のものとほぼ同じ構造としたものである。
【００２１】
最後に、図１６乃至図１９に示した本考案の第４実施例について説明する。該第４実施例に示した容器は、容器本体１の形状については、前記第１実施例に示した容器本体１と同様のものとし、蓋体２の形状を前記第１実施例に示した容器の蓋体２に比して、図１６から明らかなように、横方向と上下方向との周壁部２４に形成した補強リブ２９を全部除去するとともに、四隅部分に形成してある２本一組とした補強リブ２９についてもこれを除去し、周壁部２４に補強リブが形成されていない構造として、内部収容の果実をより一層透視し易いものとしたものである。その他の点については前記第１実施例のものとほぼ同じ構造としてある。
【００２２】
以上本考案の代表的と思われる実施例について説明したが、本考案は必ずしも実施例として示した構造のもののみに限定されるものではなく、本考案にいう前記の構成要件を充足し、上記の目的を達成し、上記の効果を有する範囲内において適宜改変して実施することができるものである。
【符号の説明】
【００２３】
１  容器本体
２  蓋体
３  ヒンジ部
１１  開口端
１２  フランジ部
１３  底部分
１４  周壁部
１６  嵌合凸部
１７  嵌合用小孔
１８  凹入部
１９  補強リブ
２１  開口端
２２  フランジ部
２３  凹入底
２４  周壁部
２５  角部
２６  嵌合凹部
２７  嵌合用小突起
２８  凹入部
２９  補強リブ
１ａ  遊端側の両隅部分
２ａ  遊端側の両隅部分
１ｂ  ヒンジ部側の両隅部分
２ｂ  ヒンジ部側の両隅部分
ｃ  空気流通孔
【図１】
0003151025.tif 000003
【図２】
0003151025.tif 000004
【図３】
0003151025.tif 000005
【図４】
0003151025.tif 000006
【図５】
0003151025.tif 000007
【図６】
0003151025.tif 000008
【図７】
0003151025.tif 000009
【図８】
0003151025.tif 000010
【図９】
0003151025.tif 000011
【図１０】
0003151025.tif 000012
【図１１】
0003151025.tif 000013
【図１２】
0003151025.tif 000014
【図１３】
0003151025.tif 000015
【図１４】
0003151025.tif 000016
【図１５】
0003151025.tif 000017
【図１６】
0003151025.tif 000018
【図１７】
0003151025.tif 000019
【図１８】
0003151025.tif 000020
【図１９】
0003151025.tif 000021